(57)【要約】【課題】  従来のホットスポットサービスではＰＣに較べると操作性の悪い携帯電話にてウェブアクセスと項目への手入力が必要で操作の手間が掛かり、特に不慣れな者には使用が難しかった。また取得する電話番号が偽装される可能性もあった。【解決手段】利用者の電子財布内蔵携帯端末６から利用者特定情報を読取り通知する手段と利用料金の精算を電子財布から行う精算手段を有するホットスポット改札装置１と、無線アクセスポイント３１をＬ３スイッチ装置３２とインターネット接続ルータ３３を通じインターネット接続するインターネット接続装置３と、通知される利用者特定情報を利用者情報格納部２４に格納し、アクセスポイント３１に接続された利用者端末７を利用者特定情報により認証し該端末の通信アドレスと通過許可をＬ３スイッチ装置３２のパケットフィルタに指示し、利用料金を管理し精算手段に応答する利用者管理装置２を備える。【選択図】      図１
2008209979.tif 000002
【特許請求の範囲】
【請求項１】
利用者端末をインターネットに接続するホットスポットサービスシステムであって、
前記利用者端末と、
前記利用者が携帯しＩＣカードを内蔵する電子財布内蔵携帯端末と、
ローカル網に接続され、利用者の電子財布内蔵携帯端末から利用者特定情報を読み取り通知する手段と利用料金の精算を前記電子財布から行う精算手段を有するホットスポット改札装置と、
前記利用者端末の接続先である無線アクセスポイントを有し、前記アクセスポイントを前記ローカル網とパケットフィルタ手段とルータとを通じインターネットに接続する接続装置と、
前記ローカル網に接続され、前記通知される利用者特定情報を利用者情報格納部に格納する利用者情報管理手段、前記アクセスポイントに接続された利用者端末を前記特定情報により認証し該端末の通信アドレスと通過許可を前記フィルタ手段に指示する認証手段、利用者の利用料金を管理しその額を前記精算手段に応答する料金管理手段を有する管理装置とを備えることを特徴とするホットスポットサービスシステム。
【請求項２】
利用者端末をインターネットに接続するホットスポットサービスシステムであって、
前記利用者端末と、
前記利用者の電子マネーを含むＩＣカードと、
ローカル網に接続され、利用者のＩＣカードから利用者特定情報を読み取り通知する手段と利用料金の精算を前記電子マネーから行う精算手段を有するホットスポット改札装置と、
前記利用者端末の接続先である無線アクセスポイントを有し、前記アクセスポイントを前記ローカル網とパケットフィルタ手段とルータとを通じインターネットに接続する接続装置と、
前記ローカル網に接続され、前記通知される利用者特定情報を利用者情報格納部に格納する利用者情報管理手段、前記アクセスポイントに接続された利用者端末を前記特定情報により認証し該端末の通信アドレスと通過許可を前記フィルタ手段に指示する認証手段、利用者の利用料金を管理しその額を前記精算手段に応答する料金管理手段を有する管理装置とを備えることを特徴とするホットスポットサービスシステム。
【請求項３】
前記、ホットスポット改札装置の前記読み取り通知する手段が、前記ＩＣカードと非接触で通信し、相互認証し前記ＩＣカードより利用者情報を読み取り、該情報内の利用者特定情報を前記利用者情報管理手段に通知し、
前記精算手段が前記同様に前記ＩＣカードより利用者情報と電子マネーカード識別情報を読み取り、前記利用者特定情報を前記料金管理手段に通知し、利用料金額を受け、
前記識別情報と前記料金額と支払要求と代理店識別を電子マネー発行者システムに送信し、前記電子マネー発行者システムから指示を受け、前記ＩＣカードの電子マネー残高を更新することを特徴とする請求項１、または２に記載のホットスポットサービスシステム。
【請求項４】
前記管理装置の認証手段が、認証した利用者端末の通信アドレスと通過許可を指示すると、その時刻を開始時刻として利用者情報格納部の対応する利用者のエントリに格納し、
前記管理装置の料金管理手段が、前記精算手段より利用者特定情報を通知されると、その時刻を終了時刻とし、利用者情報格納部から該利用者の開始時刻を読み出し、これらの時刻情報から利用時間を算出し、利用時間に応じ料金額を算出することを特徴とする請求項１、または２に記載のホットスポットサービスシステム。
【請求項５】
前記接続装置が、通過許可された通信アドレスを格納し、送信元アドレスや送信先アドレスを前記格納された通信アドレスとするパケットについてそのアドレス単位の回数を通信ログ格納部に記録する手段を有し、
前記管理装置の認証手段が、認証した利用者端末の通信アドレスと通過許可を指示すると、その通信アドレスを前記利用者情報格納部の対応する利用者のエントリに格納し、周期的に前記通信ログを受信し、利用者情報格納部の各利用者の通信回数に反映する手段を有し、
前記管理装置の料金管理手段が、前記精算手段より利用者特定情報を通知されると、利用者情報格納部から該利用者の通信回数を読み出し、これに応じ料金額を算出することを特徴とする請求項１、または２に記載のホットスポットサービスシステム。
【請求項６】
前記接続装置が、通過許可された通信アドレスを格納し、送信元アドレスや送信先アドレスを前記格納された通信アドレスとするパケットについてそのアドレス単位の回数を通信ログ格納部に記録する手段を有し、
前記管理装置の認証手段が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、利用者情報格納部の各利用者の通信回数に反映する手段を有し、
前記管理装置の料金管理手段が、前記精算手段より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出することを特徴とする請求項１、または２に記載のホットスポットサービスシステム。
【請求項７】
前記利用者特定情報を利用者の携帯端末番号とすることを特徴とする請求項１、または２に記載のホットスポットサービスシステム。
【請求項８】
前記ローカル網とパケットフィルタ手段とを、前記無線アクセスポイントと前記ホットスポット改札装置と前記管理装置と前記ルータ向けポートが接続されるスイッチと前記ルータ向けポートのパケットフィルタを持つレイヤ３スイッチ装置で構成することを特徴とする請求項１、または２に記載のホットスポットサービスシステム。
【請求項９】
無線アクセスポイントを含む接続装置を通じて利用者端末をインターネットに接続するホットスポットサービスシステムにおける管理装置であって、
前記システムのローカル網に接続され、
ＩＣカード読取装置から通知される利用者特定情報を利用者情報格納部に格納する利用者情報管理手段と、
前記アクセスポイントに接続された利用者端末を前記利用者特定情報により認証し該端末の通信アドレスと通過許可を前記接続装置に指示する認証手段と、
利用者の利用料金を管理しその額をＩＣカード精算装置に応答する料金管理手段を有することを特徴とする管理装置。
【請求項１０】
前記認証手段が、認証した利用者端末の通信アドレスと通過許可を指示すると、その時刻を開始時刻として利用者情報格納部の対応する利用者のエントリに格納し、
前記料金管理手段が、前記ＩＣカード精算装置より利用者特定情報を通知されると、その時刻を終了時刻とし、利用者情報格納部から該利用者の開始時刻を読み出し、これらの時刻情報から利用時間を算出し、利用時間に応じ料金額を算出することを特徴とする請求項９に記載の管理装置。
【請求項１１】
前記認証手段が、認証した利用者端末の通信アドレスと通過許可を指示すると、その通信アドレスを前記利用者情報格納部の対応する利用者のエントリに格納し、周期的に前記接続装置より通信ログを受信し、その内容を利用者情報格納部の各利用者の通信回数に反映する手段を有し、
前記料金管理手段が、前記ＩＣカード精算装置より利用者特定情報を通知されると、利用者情報格納部から該利用者の通信回数を読み出し、これに応じ料金額を算出することを特徴とする請求項９に記載の管理装置。
【請求項１２】
前記認証手段が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、その内容を利用者情報格納部の各利用者の通信回数に反映する手段を有し、
前記料金管理手段が、前記ＩＣカード精算装置より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出することを特徴とする請求項９に記載の管理装置。
【請求項１３】
前記利用者特定情報を利用者の携帯端末番号とすることを特徴とする請求項９に記載の管理装置。
【請求項１４】
無線アクセスポイントを含む接続装置を通じて利用者端末をインターネットに接続するホットスポットサービスシステムにおけるプログラムであって、
ＩＣカード読取装置から通知される利用者特定情報を利用者情報格納部に格納する利用者情報管理手順と、
前記アクセスポイントに接続された利用者端末を前記利用者特定情報により認証し該端末の通信アドレスと通過許可を前記接続装置に指示する認証手順と、
利用者の利用料金を管理しその額をＩＣカード精算装置に応答する料金管理手順を管理コンピュータに実行させるためのプログラム。
【請求項１５】
前記認証手順が、認証した利用者端末の通信アドレスと通過許可を指示すると、その時刻を開始時刻として利用者情報格納部の対応する利用者のエントリに格納し、
前記料金管理手順が、前記ＩＣカード精算手段より利用者特定情報を通知されると、その時刻を終了時刻とし、利用者情報格納部から該利用者の開始時刻を読み出し、これらの時刻情報から利用時間を算出し、利用時間に応じ料金額を算出することを特徴とする請求項１４に記載のプログラム。
【請求項１６】
前記認証手順が、認証した利用者端末の通信アドレスと通過許可を指示すると、その通信アドレスを前記利用者情報格納部の対応する利用者のエントリに格納し、周期的に前記接続装置より通信ログを受信し、その内容を利用者情報格納部の各利用者の通信回数に反映し、
前記料金管理手順が、前記ＩＣカード精算装置より利用者特定情報を通知されると、利用者情報格納部から該利用者の通信回数を読み出し、これに応じ料金額を算出することを特徴とする請求項１４に記載のプログラム。
【請求項１７】
前記認証手順が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、その内容を利用者情報格納部の各利用者の通信回数に反映し、
前記料金管理手順が、前記ＩＣカード精算装置より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出することを特徴とする請求項１４に記載のプログラム。
【請求項１８】
前記利用者特定情報を利用者の携帯端末番号とすることを特徴とする請求項１４に記載のプログラム。
【請求項１９】
無線アクセスポイントを含む接続装置を通じて利用者端末をインターネットに接続するホットスポットサービス方法であって、
利用者の電子財布内蔵携帯端末から利用者特定情報を読み取り通知する手順と、
通知される利用者特定情報を利用者情報格納部に格納する利用者情報管理手順と、
前記アクセスポイントに接続された利用者端末を前記利用者特定情報により認証し該端末の通信アドレスと通過許可を前記接続装置に指示する認証手順と、
利用者の利用料金を管理しその額を精算手順に応答する料金管理手順と、
利用者の電子財布内蔵携帯端末から利用者特定情報を読み取り前記料金管理手順に通知し、料金額を受信しその精算を前記電子財布から行う精算手順とを有することを特徴とするホットスポットサービス方法。
【請求項２０】
無線アクセスポイントを含む接続装置を通じて利用者端末をインターネットに接続するホットスポットサービス方法であって、
利用者の電子マネーＩＣカードから利用者特定情報を読み取り通知する手順と、
通知される利用者特定情報を利用者情報格納部に格納する利用者情報管理手順と、
前記アクセスポイントに接続された利用者端末を前記利用者特定情報により認証し該端末の通信アドレスと通過許可を前記接続装置に指示する認証手順と、
利用者の利用料金を管理しその額を精算手順に応答する料金管理手順と、
利用者の前記ＩＣカードから利用者特定情報を読み取り前記料金管理手順に通知し、料金額を受信しその精算を前記電子財布から行う精算手順とを有することを特徴とするホットスポットサービス方法。
【発明の詳細な説明】
【技術分野】
【０００１】
本発明はホットスポットサービスシステムと方法、管理装置、及びプログラムに関し、特に、事前手続きを不要としたホットスポットサービスシステムと方法、管理装置、及びプログラムに関する。
【背景技術】
【０００２】
ホットスポットサービスは、利用者を限定し有料とするか、サービス提供側が維持費を負担する必要がある。
【０００３】
これは、利用者から料金を取るには、利用者の特定が必要であるが、利用者を特定するためには、事前にホットスポットサービスプロバイダなどへの利用会員登録手続きが必要である。しかし、事前登録を必須にすることにより利便性が失われサービス利用者の拡大を妨げている。また、利用時に利用会員登録手続きを行なうには、人手を介する必要があり、サービスの運用コストを上げる結果となってしまう。
【０００４】
これらの事情に鑑み、下記の無線通信接続管理サーバが提案されている。即ち、利用者が携帯電話端末を用い携帯電話網とインターネットを通じサービス提供者の無線通信接続管理サーバにアクセスし、無線ＬＡＮアクセスポイントへの接続を要求し登録フォームを受信し、利用者情報として携帯電話番号を通知しまた利用者の無線クライアント端末（携行可能ＰＣ）のＭＡＣアドレスを管理サーバに通知する。
【０００５】
無線通信接続管理サーバが無線ＬＡＮアクセスポイントに前記ＭＡＣアドレスを転送し、無線ＬＡＮアクセスポイントがこのＭＡＣアドレスからの通信を許可する。携帯電話番号が通知されることで、利用料金の課金を携帯電話端末の使用者に対して行うことができ、利用者の特定が容易にできることが記載されている（特許文献１参照。）。
【０００６】
また、従来より、ホットスポットサービスではサービス形態にもよるが、サービスエリアに入場させる顧客をサービス提供を受ける（利用者端末をアクセスポイントに接続する）意思を持った顧客に限定したいという要望がある。これに対しサービス提供側の案内人が利用手続きを終えた者に入場許可証を発行する等で対応している。
【０００７】
【特許文献１】特開２００３−２３５０８２号公報（［００２０］〜［００２１］）
【発明の開示】
【発明が解決しようとする課題】
【０００８】
上記従来の通信接続無線通信接続管理サーバによる方法では、例えば氏名と年齢に代わり携帯電話番号を入力するので利用者情報の入力に要する手間は軽減されるが、無線通信接続管理サーバ等のＵＲＬ入力と、表示画面を見ながら要求の選択指示操作をし、登録フォームを取得し、これに携帯電話番号とＭＡＣアドレス等を入力することが必要である。
【０００９】
即ち、ノート型パーソナルコンピュータ等のキーボードやマウスによる操作に較べ操作性の悪い携帯電話にて必要なウェブページへのアクセスと項目への入力が必要で操作の手間が掛かり、特にこれらの操作に不慣れな者には使用しにくいという第１の課題がある。
【００１０】
次に、前記従来の方法において、携帯電話端末から利用者情報として携帯電話番号が通知されるが、通知方法として利用者が登録フォーム画面に対し番号を入力し通知する方法も考えられ（登録フォームに関連付けられた記述プログラムが番号記憶部より携帯電話番号を自動取得するとか、管理サーバが携帯電話端末からの情報を受け取った際に、アプリケーション層プログラムが下位層の通信プログラムから電話番号を取得する方法等が示されてない）、他人の電話番号を入力することもできる。
【００１１】
即ち、利用者特定情報として取得する電話番号が偽装される（成りすまされる）可能性が有るという第２の課題がある。
【００１２】
次に上記従来のサービスエリアへの入場を制御する方法では人手による工数が掛かり、サービスの運用コストが上がってしまうという第３の課題がある。
【００１３】
本発明の目的は上記従来の課題を解決したホットスポットサービスシステムと方法、管理装置、及びプログラムを提供することにある。
【課題を解決するための手段】
【００１４】
本発明の第１のホットスポットサービスシステムは、利用者端末をインターネットに接続するホットスポットサービスシステムであって、前記利用者端末と、前記利用者が携帯しＩＣカードを内蔵する電子財布内蔵携帯端末と、ローカル網に接続され、利用者の電子財布内蔵携帯端末から利用者特定情報を読み取り通知する手段と利用料金の精算を前記電子財布から行う精算手段を有するホットスポット改札装置と、前記利用者端末の接続先である無線アクセスポイントを有し、前記アクセスポイントを前記ローカル網とパケットフィルタ手段とルータとを通じインターネットに接続する接続装置と、前記ローカル網に接続され、前記通知される利用者特定情報を利用者情報格納部に格納する利用者情報管理手段、前記アクセスポイントに接続された利用者端末を前記特定情報により認証し該端末の通信アドレスと通過許可を前記フィルタ手段に指示する認証手段、利用者の利用料金を管理しその額を前記精算手段に応答する料金管理手段を有する管理装置とを備える。
【００１５】
本発明の第２のホットスポットサービスシステムは、利用者端末をインターネットに接続するホットスポットサービスシステムであって、前記利用者端末と、前記利用者の電子マネーを含むＩＣカードと、ローカル網に接続され、利用者のＩＣカードから利用者特定情報を読み取り通知する手段と利用料金の精算を前記電子マネーから行う精算手段を有するホットスポット改札装置と、前記利用者端末の接続先である無線アクセスポイントを有し、前記アクセスポイントを前記ローカル網とパケットフィルタ手段とルータとを通じインターネットに接続する接続装置と、前記ローカル網に接続され、前記通知される利用者特定情報を利用者情報格納部に格納する利用者情報管理手段、前記アクセスポイントに接続された利用者端末を前記特定情報により認証し該端末の通信アドレスと通過許可を前記フィルタ手段に指示する認証手段、利用者の利用料金を管理しその額を前記精算手段に応答する料金管理手段を有する管理装置とを備える。
【００１６】
本発明の第３のホットスポットサービスシステムは、前記第１、または第２のホットスポットサービスシステムであって、前記、ホットスポット改札装置の前記読み取り通知する手段が、前記ＩＣカードと非接触で通信し、相互認証し前記ＩＣカードより利用者情報を読み取り、該情報内の利用者特定情報を前記利用者情報管理手段に通知し、前記精算手段が前記同様に前記ＩＣカードより利用者情報と電子マネーカード識別情報を読み取り、前記利用者特定情報を前記料金管理手段に通知し、利用料金額を受け、前記識別情報と前記料金額と支払要求と代理店識別を電子マネー発行者システムに送信し、前記電子マネー発行者システムから指示を受け、前記ＩＣカードの電子マネー残高を更新する。
【００１７】
本発明の第４のホットスポットサービスシステムは、前記第１、または第２のホットスポットサービスシステムであって、前記管理装置の認証手段が、認証した利用者端末の通信アドレスと通過許可を指示すると、その時刻を開始時刻として利用者情報格納部の対応する利用者のエントリに格納し、前記管理装置の料金管理手段が、前記精算手段より利用者特定情報を通知されると、その時刻を終了時刻とし、利用者情報格納部から該利用者の開始時刻を読み出し、これらの時刻情報から利用時間を算出し、利用時間に応じ料金額を算出する。
【００１８】
本発明の第５のホットスポットサービスシステムは、前記第１、または第２のホットスポットサービスシステムであって、前記接続装置が、通過許可された通信アドレスを格納し、送信元アドレスや送信先アドレスを前記格納された通信アドレスとするパケットについてそのアドレス単位の回数を通信ログ格納部に記録する手段を有し、前記管理装置の認証手段が、認証した利用者端末の通信アドレスと通過許可を指示すると、その通信アドレスを前記利用者情報格納部の対応する利用者のエントリに格納し、周期的に前記通信ログを受信し、利用者情報格納部の各利用者の通信回数に反映する手段を有し、前記管理装置の料金管理手段が、前記精算手段より利用者特定情報を通知されると、利用者情報格納部から該利用者の通信回数を読み出し、これに応じ料金額を算出する。
【００１９】
本発明の第６のホットスポットサービスシステムは、前記第１、または第２のホットスポットサービスシステムであって、前記接続装置が、通過許可された通信アドレスを格納し、送信元アドレスや送信先アドレスを前記格納された通信アドレスとするパケットについてそのアドレス単位の回数を通信ログ格納部に記録する手段を有し、前記管理装置の認証手段が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、利用者情報格納部の各利用者の通信回数に反映する手段を有し、前記管理装置の料金管理手段が、前記精算手段より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出する。
【００２０】
本発明の第７のホットスポットサービスシステムは、前記第１、または第２のホットスポットサービスシステムであって、前記利用者特定情報を利用者の携帯端末番号とする。
【００２１】
本発明の第８のホットスポットサービスシステムは、前記第１、または第２のホットスポットサービスシステムであって、前記ローカル網とパケットフィルタ手段とを、前記無線アクセスポイントと前記ホットスポット改札装置と前記管理装置と前記ルータ向けポートが接続されるスイッチと前記ルータ向けポートのパケットフィルタを持つレイヤ３スイッチ装置で構成する。
【００２２】
本発明の第１の管理装置は、無線アクセスポイントを含む接続装置を通じて利用者端末をインターネットに接続するホットスポットサービスシステムにおける管理装置であって、前記システムのローカル網に接続され、ＩＣカード読取装置から通知される利用者特定情報を利用者情報格納部に格納する利用者情報管理手段と、前記アクセスポイントに接続された利用者端末を前記利用者特定情報により認証し該端末の通信アドレスと通過許可を前記接続装置に指示する認証手段と、利用者の利用料金を管理しその額をＩＣカード精算装置に応答する料金管理手段を有する。
【００２３】
本発明の第２の管理装置は、前記第１の管理装置であって、前記認証手段が、認証した利用者端末の通信アドレスと通過許可を指示すると、その時刻を開始時刻として利用者情報格納部の対応する利用者のエントリに格納し、前記料金管理手段が、前記ＩＣカード精算装置より利用者特定情報を通知されると、その時刻を終了時刻とし、利用者情報格納部から該利用者の開始時刻を読み出し、これらの時刻情報から利用時間を算出し、利用時間に応じ料金額を算出する。
【００２４】
本発明の第３の管理装置は、前記第１の管理装置であって、前記認証手段が、認証した利用者端末の通信アドレスと通過許可を指示すると、その通信アドレスを前記利用者情報格納部の対応する利用者のエントリに格納し、周期的に前記接続装置より通信ログを受信し、その内容を利用者情報格納部の各利用者の通信回数に反映する手段を有し、前記料金管理手段が、前記ＩＣカード精算装置より利用者特定情報を通知されると、利用者情報格納部から該利用者の通信回数を読み出し、これに応じ料金額を算出する。
【００２５】
本発明の第４の管理装置は、前記第１の管理装置であって、前記認証手段が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、その内容を利用者情報格納部の各利用者の通信回数に反映する手段を有し、前記料金管理手段が、前記ＩＣカード精算装置より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出する。
【００２６】
本発明の第５の管理装置は、前記第１の管理装置であって、前記利用者特定情報を利用者の携帯端末番号とする。
【００２７】
本発明の第１のプログラムは、無線アクセスポイントを含む接続装置を通じて利用者端末をインターネットに接続するホットスポットサービスシステムにおけるプログラムであって、ＩＣカード読取装置から通知される利用者特定情報を利用者情報格納部に格納する利用者情報管理手順と、前記アクセスポイントに接続された利用者端末を前記利用者特定情報により認証し該端末の通信アドレスと通過許可を前記接続装置に指示する認証手順と、利用者の利用料金を管理しその額をＩＣカード精算装置に応答する料金管理手順を管理コンピュータに実行させる。
【００２８】
本発明の第２のプログラムは、前記第１のプログラムであって、前記認証手順が、認証した利用者端末の通信アドレスと通過許可を指示すると、その時刻を開始時刻として利用者情報格納部の対応する利用者のエントリに格納し、前記料金管理手順が、前記ＩＣカード精算手段より利用者特定情報を通知されると、その時刻を終了時刻とし、利用者情報格納部から該利用者の開始時刻を読み出し、これらの時刻情報から利用時間を算出し、利用時間に応じ料金額を算出する。
【００２９】
本発明の第３のプログラムは、前記第１のプログラムであって、前記認証手順が、認証した利用者端末の通信アドレスと通過許可を指示すると、その通信アドレスを前記利用者情報格納部の対応する利用者のエントリに格納し、周期的に前記接続装置より通信ログを受信し、その内容を利用者情報格納部の各利用者の通信回数に反映し、前記料金管理手順が、前記ＩＣカード精算装置より利用者特定情報を通知されると、利用者情報格納部から該利用者の通信回数を読み出し、これに応じ料金額を算出する。
【００３０】
本発明の第４のプログラムは、前記第１のプログラムであって、前記認証手順が、認証した利用者端末の通信アドレスと通過許可を指示すると、その時刻を開始時刻とし前記通信アドレスと共に前記利用者情報格納部の対応する利用者のエントリに格納し、周期的に前記通信ログを受信し、その内容を利用者情報格納部の各利用者の通信回数に反映し、前記料金管理手順が、前記ＩＣカード精算装置より利用者特定情報を通知されると、その時刻を終了時刻とし、利用者情報格納部から該利用者の開始時刻と通信回数を読み出し、前記終了時刻情報と開始時刻情報から利用時間を算出し、利用時間と通信回数に応じ料金額を算出する。
【００３１】
本発明の第５のプログラムは、前記第１のプログラムであって、前記利用者特定情報を利用者の携帯端末番号とする。
【００３２】
本発明の第１のホットスポットサービス方法は、無線アクセスポイントを含む接続装置を通じて利用者端末をインターネットに接続するホットスポットサービス方法であって、利用者の電子財布内蔵携帯端末から利用者特定情報を読み取り通知する手順と、通知される利用者特定情報を利用者情報格納部に格納する利用者情報管理手順と、前記アクセスポイントに接続された利用者端末を前記利用者特定情報により認証し該端末の通信アドレスと通過許可を前記接続装置に指示する認証手順と、利用者の利用料金を管理しその額を精算手順に応答する料金管理手順と、利用者の電子財布内蔵携帯端末から利用者特定情報を読み取り前記料金管理手順に通知し、料金額を受信しその精算を前記電子財布から行う精算手順とを有する。
【００３３】
本発明の第２のホットスポットサービス方法は、無線アクセスポイントを含む接続装置を通じて利用者端末をインターネットに接続するホットスポットサービス方法であって、利用者の電子マネーＩＣカードから利用者特定情報を読み取り通知する手順と、通知される利用者特定情報を利用者情報格納部に格納する利用者情報管理手順と、前記アクセスポイントに接続された利用者端末を前記利用者特定情報により認証し該端末の通信アドレスと通過許可を前記接続装置に指示する認証手順と、利用者の利用料金を管理しその額を精算手順に応答する料金管理手順と、利用者の前記ＩＣカードから利用者特定情報を読み取り前記料金管理手順に通知し、料金額を受信しその精算を前記電子財布から行う精算手順とを有する。
【発明の効果】
【００３４】
本発明によれば、無線ホットスポットを利用するにあたり、利用者の利便性を向上することができる。その理由は次の通りである。その場で電子財布内蔵携帯端末、或いは電子マネーＩＣカードにより利用者登録、利用料金清算が自動ででき、後は操作性のよい利用者端末（ノートＰＣ等）から例えば携帯端末番号等の簡素な利用者特定情報を入力するだけでサービスが利用できるためである。
【発明を実施するための最良の形態】
【００３５】
次に、本発明を実施するための最良の形態について図面を参照して詳細に説明する。図１は本発明のホットスポットサービスシステムの第１の実施の形態の全体構成と、関連する電子マネー発行者システム５の構成を示すブロック図である。
【００３６】
図１を参照すると、本発明のホットスポットサービスシステムは、ＩＣカード読取装置１１とＩＣカード精算装置１２からなるホットスポット改札装置１と、利用者を識別するための利用者ＩＤ（携帯端末番号等）の登録を行ない、利用者を認証し利用者端末７のインターネット４への接続を許可し、また利用者ごとの料金を管理する利用者管理装置２と、無線アクセスポイント３１等を含むインターネット接続装置３から構成される。
【００３７】
インターネット接続装置３は公衆ネットワークの１種であるインターネット４に接続されている。また利用者の多くは、電子財布内蔵携帯端末６を携帯しており、この電子財布に係わる電子マネー発行者システム５がインターネット４に接続されている。
【００３８】
ホットスポット改札装置１は、ＩＣカード読取装置１１とＩＣカード精算装置１２を備えている。ＩＣカード読取装置１１は、ホットスポットエリアへの改札入口に設置されており、装置に利用者の電子財布内蔵携帯端末６をかざすことで、利用者情報読取手段１１１が電子財布と相互認証を行い、利用者情報（個人情報）を読み取り、その内の利用者特定情報（例えば携帯端末番号）を利用者管理装置２に通知する。
【００３９】
ＩＣカード精算装置１２は、ホットスポットエリアからの改札出口に設置されており、装置に利用者の電子財布内蔵携帯端末６をかざすことで、電子財布により利用料金の精算を行なう。
【００４０】
利用者管理装置２は、利用者情報管理手段２１、認証手段２２、料金管理手段２３を備えている。利用者情報管理手段２１はＩＣカード読取装置１１から前記利用者特定情報を受信し利用者情報格納部２４に登録する。認証手段２２は利用者が利用者端末７をインターネット４に接続する際に、認証を行ない、認証が成功すればインターネット４へのアクセスを許可する。料金管理手段２３は、利用者の利用実績等を管理し、利用料金を算出しＩＣカード精算装置１２に通知する。
【００４１】
インターネット接続装置３は、無線アクセスポイント３１、Ｌ３スイッチ装置３２（レイヤ３スイッチ装置）、インターネット接続ルータ３３を備えている。無線アクセスポイント３１は、利用者が利用者端末７（ノートパソコンやＰＤＡ、ゲーム端末等の携行できる情報処理装置で無線ＬＡＮ（Ｌｏｃａｌ  Ａｒｅａ  Ｎｅｔｗｏｒｋ）通信機能とブラウザを搭載している）を無線接続するためのアクセスポイントである。
【００４２】
Ｌ３スイッチ装置３２は、各装置間を接続するスイッチ装置である。インターネット接続ルータ３３は、Ｌ３スイッチ装置３２により構成されたローカルエリアネットワークとインターネット４を接続するための機器である。インターネット４は、公衆ネットワークの１種であるＴｈｅ  Ｉｎｔｅｒｎｅｔを指す。
【００４３】
図２は、ＩＣカード読取装置１１のハードウェアの構成を示した図であり、非接触方式のＩＣカードリーダ１１２、制御部１１３、通信部１１４を含む。制御部１１３はＣＰＵと主記憶メモリと不揮発性記憶を備え、通信部１１４はイーサネット（登録商標）通信ボード等である。前記不揮発性記憶には、前記ＣＰＵに実行され、ＩＣカードリーダ１１２や通信部１１４を制御し、利用者情報読取手段１１１として動作させるためのプログラムが格納されている。
【００４４】
尚、ＩＣカード精算装置１２のハードウェアの構成は、個別に図示してないが、図２のＩＣカードリーダ１１２に代わり非接触方式のＩＣカードリーダライタを備え他はＩＣカード読取装置１１と同様である。不揮発性記憶には、ＣＰＵに実行され、ＩＣカードリーダライタや通信部を制御し、利用者情報読取及び精算手段１２１として動作させるためのプログラム、代理店ＩＤ等が格納されている。
【００４５】
図３は、利用者管理装置２のハードウェアの構成を示した図である。利用者管理装置２はサーバ装置やパソコン等のプログラム制御で動作する情報処理装置であり、キーボードやマウス等の入力装置２６とディスプレイ等の出力装置２７と、制御部２８、通信部２９、ハードディスク装置等の補助記憶装置２０を含む。
【００４６】
制御部２８はＣＰＵと主記憶メモリと不揮発性記憶を備え、通信部１１４はイーサネット（登録商標）通信ボード等である。前記補助記憶装置２０には、利用者情報と前記ＣＰＵに実行され、通信部２９や補助記憶装置２０を制御し、利用者情報管理手段２１、認証手段２２、料金管理手段２３として動作させるためのそれぞれのプログラムや通信処理プログラム、認証画面情報（ＨｙｐｅｒＴｅｘｔ  Ｍａｒｋｕｐ  Ｌａｎｇｕａｇｅ等で記載）が格納されている。
【００４７】
図４は、Ｌ３スイッチ装置３２の構成を示した図で、Ｌ３スイッチ装置３２は、５個のポート部３２１ａ〜３２１ｅとスイッチ３２２とルーティング情報格納部３２４と、パケットフィルタ部３２３と許可アドレス格納部３２５と通信ログ格納部３２６を備える。
【００４８】
ポート部３２１ａ〜３２１ｅとスイッチ３２２とルーティング情報格納部３２４とでＬ２（レイヤ２）スイッチングハブを構成している。パケットフィルタ部３２３と許可アドレス格納部３２５とでＬ３（レイヤ３）パケットフィルタを構成する。
【００４９】
ポート部３２１ａ〜３２１ｅの各それぞれは、入力ポートと出力ポートを持ち、それぞれが受信データ／送信データを一時記憶するバッファを持っている。各入力ポートのバッファに一時記憶されたＬ２パケットの宛先ＭＡＣ（Ｍｅｄｉａ  Ａｃｃｅｓ  Ｃｏｎｔｒｏｌ）アドレスが抽出され、そのＭＡＣアドレスに対応した出力ポートへスイッチされる。ルーティング情報格納部３２４は、各出力ポートのＭＡＣアドレスと、各出力ポートの入力選択情報を保持している。
【００５０】
パケットフィルタ部３２３は、ポート３２１ｃからの送信パケット及び無線アクセスポイント３１の配下ＩＰアドレス宛の受信パケットについてフィルタリングを行ない、前記送信パケットの送信元ＩＰアドレスや、前記受信パケットの宛先ＩＰアドレスが許可アドレス格納部３２５に登録されている場合にそれらパケットを通過させるが、それ以外の前記送信パケットや受信パケットは阻止する。
【００５１】
Ｌ３スイッチ装置３２は、抜き取りの所定周期で、通過させた無線アクセスポイント３１発のＩＰパケットの回数をＩＰアドレス別にカウントし、これらの許可ＩＰアドレス宛の受信パケットの回数も同様にカウントし、通信ログ格納部３２６に格納する。
【００５２】
図５（１）に示す様に電子財布内蔵携帯端末６には内蔵型ＩＣカード６１が実装され、図５（２）に示す様に内蔵型ＩＣカード６１はアンテナ及び通信部６１１、ＣＰＵやメモリ等の制御部６１２、フラッシュメモリ等の不揮発性記憶部６１３を含み構成されている。
【００５３】
図６は不揮発性記憶部６１３の内容例を示した図であり、プログラム記憶域には共通制御プログラムと電子マネープログラムを含み、データ記憶域にはＩＣカード種別が格納されている。また、電子マネー用データ記憶域には、相互認証用情報と電子マネーカード識別情報（発行者ＩＤ＋利用者ＩＤ）と利用者情報（氏名、携帯電話番号、性別、生年月日）パスワード、残高金額、利用履歴が記憶されている。
【００５４】
次に、本発明の第１の実施の形態の動作について図面を参照して説明する。図７及び図８は、本発明の動作を示すフローチャートである。図７を参照すると、ＩＣカード読取装置１１がインクワイヤ（問い合わせ）動作を開始しており（ステップ１）、利用者は、電子財布内蔵携帯端末６を改札入口に設置されたＩＣカード読取装置１１にかざし、ホットスポットエリアへ入室する（ステップ２）。
【００５５】
ＩＣカード読取装置１１は、内蔵型ＩＣカード６１より所定のＩＣカード種別を示す応答を受信すると（ステップ３）、電子マネーカードを指定し相互認証を行う（ステップ４）。
【００５６】
ＩＣカード読取装置１１は内蔵型ＩＣカード６１より利用者情報を取得し、その内指定された情報（携帯端末番号）を利用者管理装置２に送信する（ステップ５）。利用者管理装置２が、受信した利用者の携帯端末番号を利用者情報格納部２４に登録する（ステップ６）。
【００５７】
利用者端末７を無線アクセスポイント３１に接続する。例えば、無線アクセスポイント３１は利用者端末７と通信してないときは自アドレスを同報通知する動作を行っており、利用者端末７は内蔵の無線ＬＡＮボードやドライバによりアクセスポイントとそのＭＡＣアドレスを把握して表示するので、利用者が接続指示操作をするとそのＭＡＣアドレスとのレイヤ２の通信を確立する。
【００５８】
次に、ＩＰアドレスの取得要求し、無線アクセスポイント３１からＩＰアドレス及びサブネットマスク（以降ＩＰアドレスとする）を取得し、それまでのＩＰアドレスと交換し設定する。次に利用者端末７のブラウザが利用者管理装置２の認証手段２２の代表部にアクセスする（ステップ７）。
【００５９】
認証手段２２は認証画面情報（ＨＴＭＬ等で記載された入力画面や手続き）をブラウザに送信し（ステップ８）、ブラウザが入力された携帯端末番号と送信操作を受け認証手段２２の認証実行手段に送信する（ステップ９）。
【００６０】
ステップ１０では、認証手段２２が携帯端末番号を受信しその送信元ＩＰアドレスも控える（認証手段２２が通信処理プログラムにＩＰアドレスを要求し取得する）。認証手段２２が携帯端末番号は利用者情報格納部２４に登録済みか判定する（ステップ１１）。
【００６１】
携帯端末番号が登録されてない場合は（ステップ１２）、認証手段２２が認証失敗の旨や修正動作指示メッセージを送信し（ステップ１３）、利用者は状況に応じ、認証画面を見ながら携帯端末番号を入れ直すか、或いは利用者が携帯している電子財布内蔵携帯端末６をＩＣカード読取装置１１にかざすので、それぞれステップ９、或いはステップ２から処理される。
【００６２】
登録済みであれば（ステップ１２）、認証手段２２が控えたＩＰアドレスと、許可アドレス情報登録指示をＬ３スイッチ装置３２に送信する。Ｌ３スイッチ装置３２は受信したＩＰアドレスを許可アドレス格納部３２５に登録する（ステップ１４）。これにより利用者端末７が無線アクセスポイント３１を通じインターネット接続ルータ３３宛に送信するパケットや、利用者端末７宛のパケットを通過させる。認証手段２２が認証成功メッセージを利用者端末７のブラウザに送信し、利用者情報格納部２４の対応エントリにステップ１０で控えておいたＩＰアドレスと開始時刻（直前に取得した現在時刻）を追記する（ステップ１５）。
【００６３】
利用者端末７がインターネットを利用する（ステップ１６）。Ｌ３スイッチ装置３２が利用者端末７とインターネット接続ルータ３３間のＩＰパケットを許可アドレス単位でカウントし通信ログ格納部３２６に記録する（ステップ１７）。料金管理手段２３が周期的に通信ログの読出を要求し（ステップ１８）、Ｌ３スイッチ装置３２がその周期の通信ログ情報を返信する（ステップ１９）。
【００６４】
通信ログ情報の各ブロックは、許可ＩＰアドレスとその通信回数を含み、料金管理手段２３が受信した通信ログ情報のＩＰアドレスをキーとして利用者情報格納部の対応エントリを検索しそのエントリの通信回数データに反映（加算）する（ステップ２０）。
【００６５】
利用者は、インターネットの利用を終え、利用者端末７のＩＰアドレスを元に戻す処理を起動し、利用者端末７をシャットダウンしパワーオフする。ホットスポットエリアからの退出時に電子財布内蔵携帯端末６をＩＣカード精算装置１２にかざす（ステップ２１）。
【００６６】
利用者情報読取及び精算手段１２１が所定のＩＣカード種別を示す応答を受信し（ステップ２２）、電子マネーカードを指定し相互認証する（ステップ２３）。利用者情報読取及び精算手段１２１が内蔵型ＩＣカード６１より電子マネーカード識別情報と利用者情報、残高を取得し、利用者情報の内、予め指定された情報（携帯端末番号）を料金管理手段２３に送信する（ステップ２４）。
【００６７】
料金管理手段２３が携帯端末番号を受信し、現在時刻も取得し（ステップ２５）、携帯端末番号で利用者情報格納部２４を検索し対応するエントリから利用開始時刻と通信回数を読み出し、ステップ２５で取得の時刻と開始時刻より利用時間を算出し、利用時間と通信回数から利用料金額を算出し、精算要求と利用料金額と携帯端末番号（利用者特定情報）をＩＣカード精算装置１２に送信する（ステップ２６）。
【００６８】
また前記エントリに記録されているＩＰアドレスと解除指示をＬ３スイッチ装置３２や無線アクセスポイント３１に送信し、Ｌ３スイッチ装置３２が許可アドレス格納部３２５よりそのＩＰアドレスの有効性フラグをリセットする。無線アクセスポイント３１は受信したＩＰアドレスの使用中フラグをリセットし割り当て対象とする（ステップ２７）。
【００６９】
利用者情報読取及び精算手段１２１が、電子マネーカード識別情報（利用者ＩＤ）と利用者情報と残高と支払額（請求額）とに代理店ＩＤと証明情報を付加し電子マネー発行者システム５に送信する（ステップ２８）。
【００７０】
電子マネー発行者システム５の支払処理手段５１が受信情報の正当性を確認し（ステップ２９）、利用者情報及び残高格納部５２の該当ユーザの残高から支払額を差し引き更新し利用履歴を追加する。次に代理店情報及び残高格納部５３の該当代理店の残高に支払額分を加算し更新し、利用者情報読取及び精算手段１２１に残高更新指示、利用履歴追記指示を送信する（ステップ３０）。
【００７１】
利用者情報読取及び精算手段１２１が内蔵型ＩＣカード６１に更新後残高と利用履歴を書込む（ステップ３１）。
【００７２】
尚、Ｌ３スイッチ装置３２が通信ログ記録機能を持たず、料金管理手段２３が、利用者情報格納部２４の各利用者の開始時刻と前記ステップ２５で取得の時刻（終了時刻）より利用時間を算出し、利用時間にみにより利用料金額を決める実施例もある。また、各利用者の開始時刻と終了時刻は管理せず、通信回数のみにより利用料金額を決める実施例もある。
【００７３】
上記説明では利用者管理装置２は１台のサーバ装置等のコンピュータとした例で説明したが、利用者管理装置２を複数のコンピュータで構成してもよい。Ｌ３スイッチ装置の接続ポート数は７ポート等でもよい。
【００７４】
本実施形態によれば、無線ホットスポットを利用するにあたり、利用者の利便性を向上する効果を有する。その理由は、その場で電子財布内蔵携帯端末により利用者登録、利用料金清算が自動ででき、後は操作性のよい利用者端末（ノートＰＣ等）から例えば携帯端末番号等の簡素な利用者特定情報を入力するだけでサービスが利用できるためである。
【００７５】
次に内蔵型ＩＣカードからＩＣカード読取装置１１が自動取得した利用者情報の一部を利用者特定情報とし、料金精算時に内蔵型ＩＣカードからＩＣカード精算装置１２が自動取得した利用者情報他の情報が電子マネー発行者システム５の格納情報と照合されるので、携帯端末番号等が偽装されにくく、偽装されてもその場で不正利用を検出できる効果を有する。
【００７６】
また、サービスエリアへの入場時に電子財布内蔵携帯端末６を非接触で瞬時に読み取るので、人手による工数を掛けずに利用意思の無い顧客のサービスエリアへの入場を制御できる効果も有する。
【００７７】
また、ローカル網をＬ３スイッチ装置３２によるスイッチングハブで構成しており、無線アクセスポイント３１とインターネット４間の主要通信と、ホットスポット改札装置１と利用者管理装置２間の管理用通信等が同時に独立して行えるので、管理通信による主要通信への影響を低減できる効果を有する。
【００７８】
次に本発明の第２の実施の形態について図面を参照し説明する。図９は本発明のホットスポットサービスシステムの第２の実施の形態の全体構成を示したブロック図である。
【００７９】
図９を参照すると、本実施形態では電子財布内蔵携帯端末６の代わりに電子マネーＩＣカード９を用いる。電子マネーＩＣカード９の構成は図５（２）に示す構成と同様である。
【００８０】
図９に戻り、本実施形態ではＬ３スイッチ装置３２は含まず、無線アクセスポイント３１、インターネット接続ルータ３３Ａ、ＩＣカード読取装置１１、ＩＣカード精算装置１２がＬＡＮ１０（ローカルエリアネットワーク）で接続されている。
【００８１】
インターネット接続ルータ３３Ａは、ルータ機能の他パケットフィルタ機能（図４のパケットフィルタ部３２３、許可アドレス格納部３２５）及び通信ログ機能を含む。
【００８２】
本実施形態の動作については、前記第１の実施の形態の動作説明における、電子財布内蔵携帯端末６や内蔵型ＩＣカード６１を電子マネーＩＣカード９に置き換え、Ｌ３スイッチ装置３２をインターネット接続ルータ３３Ａに置き換えれば他は同様である。但しステップ４，２３では電子マネーＩＣカード９とＩＣカード読取装置１１、或いはＩＣカード精算装置１２が単に相互認証する。
【００８３】
本実施形態によれば、無線ホットスポットを利用するにあたり、利用者の利便性を向上する効果を有する。その理由は、その場で電子マネーＩＣカード９により利用者登録、利用料金清算が自動ででき、後は操作性のよい利用者端末（ノートＰＣ等）から例えば携帯端末番号、或いは自宅の固定電話番号等の簡素な利用者特定情報を入力するだけでサービスが利用できるためである。
【００８４】
次に電子マネーＩＣカード９からＩＣカード読取装置１１が自動取得した利用者情報の一部を利用者特定情報とし、料金精算時に電子マネーＩＣカード９からＩＣカード精算装置１２が自動取得した利用者情報他の情報が電子マネー発行者システム５の格納情報と照合されるので、利用者特定情報が偽装されにくく、偽装されてもその場で不正利用を検出できる効果を有する。
【００８５】
また、サービスエリアへの入場時に電子マネーＩＣカード９を非接触で瞬時に読み取るので、人手による工数を掛けずに利用意思の無い顧客のサービスエリアへの入場を制御できる効果も有する。
【００８６】
以上説明した第１や第２の実施の形態の他、第１の実施の形態の電子財布内蔵携帯端末６を電子マネーＩＣカード９に置き換えただけの実施形態や、第１の実施の形態のＬ３スイッチ装置３２をＬＡＮ１０に置き換えただけの実施形態であってもよい。
【産業上の利用可能性】
【００８７】
本発明は、駅や空港などの待合室や企業における来客スペースでの適用が考えられる。
【図面の簡単な説明】
【００８８】
【図１】本発明のホットスポットサービスシステムの第１の実施の形態の全体構成と、関連する電子マネー発行者システム５の構成を示すブロック図である。
【図２】本発明のＩＣカード読取装置１１のハードウェアの構成を示す図である。
【図３】本発明の利用者管理装置２のハードウェアの構成を示す図である。
【図４】本発明のＬ３スイッチ装置３２の構成を示す図である。
【図５】（１）は本発明の電子財布内蔵携帯端末６に内蔵型ＩＣカード６１が実装されていることを示す図で、（２）は本発明の内蔵型ＩＣカード６１の構成を示すブロック図である。
【図６】本発明の内蔵型ＩＣカード６１の不揮発性記憶部６１３の内容例を示す図である。
【図７】本発明の動作を示すフローチャートである。
【図８】本発明の動作を示すフローチャートである。
【図９】本発明のホットスポットサービスシステムの第２の実施の形態の全体構成と、関連する電子マネー発行者システム５の構成を示すブロック図である。
【符号の説明】
【００８９】
１    ホットスポット改札装置
１１    ＩＣカード読取装置
１１１    利用者情報読取手段
１１２    ＩＣカードリーダ
１１３    制御部
１１４    通信部
１２    ＩＣカード精算装置
１２１    利用者情報読取及び精算手段
２    利用者管理装置
２１    利用者情報管理手段
２２    認証手段
２３    料金管理手段
２４    利用者情報格納部
２０    補助記憶装置
２６    入力装置
２７    出力装置
２８    制御部
２９    通信部
３    インターネット接続装置
３１    無線アクセスポイント
３２    Ｌ３スイッチ装置
３２１ａ〜３２１ｅ    ポート部
３２２    スイッチ
３２３    パケットフィルタ部
３２４    ルーティング情報格納部
３２５    許可アドレス格納部
３２６    通信ログ格納部
３３、３３Ａ    インターネット接続ルータ
４    インターネット
５    電子マネー発行者システム
５１    支払処理手段
５２    利用者情報及び残高格納部
５３    代理店情報及び残高格納部
６    電子財布内蔵携帯端末
６１    内蔵型ＩＣカード
６１１    通信部
６１２    制御部
６１３    不揮発性記憶部
７    利用者端末
９    電子マネーＩＣカード
１０    ＬＡＮ
【図１】
2008209979.tif 000003
【図２】
2008209979.tif 000004
【図３】
2008209979.tif 000005
【図４】
2008209979.tif 000006
【図５】
2008209979.tif 000007
【図６】
2008209979.tif 000008
【図７】
2008209979.tif 000009
【図８】
2008209979.tif 000010
【図９】
2008209979.tif 000011